(57)【要約】【課題】ユーザに対して提供され得る生産情報の内容や表示パターン等が、そのユーザを取り巻く諸事情に鑑みて適当に設定され得るように、製品の生産情報を管理するシステム等を提供する。【解決手段】本発明の生産情報管理システムによれば、調節処理ユニット１２０が、ユーザにより情報端末２００に入力された「機能調節情報」に基づき、第１処理ユニット１１１により情報端末２００に付与されるとともに、第２処理ユニット１１２により情報端末２００に表示される生産情報の内容等の基礎となる「情報処理機能」を設定する。ユーザにより情報端末２００に入力された「機能調節情報」には、このユーザを取り巻く「諸事情」が反映され得る。これにより、情報端末２００を通じてユーザに提供され得る生産情報の内容やパターンが、当該諸事情に鑑みて適当に設定され得る。【選択図】  図１
2006277571.tif 000002
【特許請求の範囲】
【請求項１】
製品の生産情報に関する情報処理機能をユーザの情報端末に付与する第１処理ユニットと、第１処理ユニットによりユーザの情報端末に付与された情報処理機能のうち、該情報端末の操作を通じて該ユーザにより指定された情報処理機能に従って、生産情報を該情報端末に表示させる第２処理ユニットとを備えた生産情報管理システムであって、
ユーザにより情報端末に入力され、複数の情報処理機能のうち一部又は全部に係る機能調節情報を認識した上で、該機能調節情報に基づき、第１処理ユニットにより該情報端末に付与されるとともに、第２処理ユニットにより該情報端末に表示される生産情報の内容及び生産情報の表示パターンとのうち一方又は両方の基礎となる情報処理機能を設定する調節処理ユニットを備えていることを特徴とする生産情報管理システム。
【請求項２】
第１処理ユニットが、ユーザの情報端末に付与した情報処理機能に対応するボタンを該情報端末に表示させ、
第２処理ユニットが、第１処理ユニットによりユーザの情報端末に表示されたボタンのうち、該情報端末の操作を通じて該ユーザにより指定されたボタンに応じた情報処理機能に従って、生産情報を該情報端末に表示させ、
調節処理ユニットが、前記機能調節情報に基づき、第１処理ユニットにより該情報端末に表示されるボタンのレイアウトを設定することを特徴とする請求項１記載の生産情報管理システム。
【請求項３】
調節処理ユニットが、前記機能調節情報に基づき、情報処理機能の優先順位及び種類のうち一方又は両方を認識した上で、該優先順位及び種類のうち一方又は両方に従って第１処理ユニットにより該情報端末に表示されるボタンのレイアウトを設定することを特徴とする請求項２記載の生産情報管理システム。
【請求項４】
調節処理ユニットが、経済、産業、社会及び環境のうち一部又は全部を含むカテゴリに関する情報を、前記機能調節情報として認識することを特徴とする請求項１記載の生産情報管理システム。
【請求項５】
調節処理ユニットが、前記機能調節情報に基づき「年」「月」及び「日」の並び順を認識した上で、製品の生産管理に係る年月日を該並び順に従って情報端末に表示させる情報処理機能を、第１処理ユニットにより該情報端末に付与されるとともに、第２処理ユニットにより該情報端末に表示される生産情報の内容及び生産情報の表示パターンとのうち一方又は両方の基礎となる情報処理機能に含ませることを特徴とする請求項１記載の生産情報管理システム。
【請求項６】
調節処理ユニットが、前記機能調節情報に基づき時間帯を認識した上で、該時間帯における製品の生産実績を情報端末に表示させる情報処理機能を、第１処理ユニットにより該情報端末に付与されるとともに、第２処理ユニットにより該情報端末に表示される生産情報の内容及び生産情報の表示パターンとのうち一方又は両方の基礎となる情報処理機能に含ませることを特徴とする請求項１記載の生産情報管理システム。
【請求項７】
生産情報に関する情報処理機能をユーザの情報端末に付与する第１処理機能と、第１処理機能によりユーザの情報端末に付与された情報処理機能のうち、該情報端末の操作を通じて該ユーザにより指定された情報処理機能に従って、生産情報を該情報端末に表示させる第２処理機能とをコンピュータに付与する生産情報管理プログラムであって、
複数の情報処理機能のうち一部又は全部を特定し得る、ユーザにより情報端末に入力された機能調節情報を認識した上で、該機能調節情報に基づき、第１処理機能により該情報端末に付与されるとともに、第２処理機能により該情報端末に表示される生産情報の内容及び生産情報の表示パターンとのうち一方又は両方の基礎となる情報処理機能を設定する調節処理機能をさらに前記コンピュータに付与することを特徴とする生産情報管理プログラム。
【発明の詳細な説明】
【技術分野】
【０００１】
本発明は、製品の生産状況に関する生産情報を管理するシステム、及び当該生産情報の管理機能をコンピュータに付与するプログラムに関する。
【背景技術】
【０００２】
従来、製品の生産状況等、製品の生産に関する生産情報を管理するシステムが提案されている（例えば、特許文献１，２参照）。
【特許文献１】特開２００４−０３０４８１号公報
【特許文献２】特開２００４−１３９４０３号公報
【発明の開示】
【発明が解決しようとする課題】
【０００３】
しかし、情報端末に表示され得る生産情報の内容や、ユーザによる情報端末の操作に応じた情報処理機能の種類、情報端末における生産情報の表示パターン等が画一的に設定されている場合、ユーザを取り巻く経済事情、社会環境、一般的慣習等の諸事情に鑑みて、これらの設定が不適当なものとなる可能性がある。
【０００４】
例えば、情報端末に表示され得る生産情報の内容や、ユーザによる情報端末の操作に応じた情報処理機能の種類が画一的に設定されている場合、一部のユーザにとっては生産情報の管理目的や製品の種類等に鑑みて、当該生産情報等の種類が過少又は過多となる可能性がある。また、情報端末における生産情報の表示パターンが画一的に設定されている場合、一部のユーザにとっては一般的慣習等に鑑みて当該表示パターンが生産情報の把握に支障をきたすものとなる可能性がある。
【０００５】
そこで、本発明は、ユーザに対して提供され得る生産情報の内容や表示パターン等が、そのユーザを取り巻く諸事情に鑑みて適当に設定され得るように、製品の生産情報を管理するシステム、及び当該管理機能をコンピュータに付与するプログラムを提供することを解決課題とする。
【課題を解決するための手段】
【０００６】
前記課題を解決するための本発明の生産情報管理システムは、製品の生産情報に関する情報処理機能をユーザの情報端末に付与する第１処理ユニットと、第１処理ユニットによりユーザの情報端末に付与された情報処理機能のうち、該情報端末の操作を通じて該ユーザにより指定された情報処理機能に従って、生産情報を該情報端末に表示させる第２処理ユニットとを備えた生産情報管理システムであって、ユーザにより情報端末に入力され、複数の情報処理機能のうち一部又は全部に係る機能調節情報を認識した上で、該機能調節情報に基づき、第１処理ユニットにより該情報端末に付与されるとともに、第２処理ユニットにより該情報端末に表示される生産情報の内容及び生産情報の表示パターンとのうち一方又は両方の基礎となる情報処理機能を設定する調節処理ユニットを備えていることを特徴とする。
【０００７】
本発明の生産情報管理システムによれば、調節処理ユニットが、ユーザにより情報端末に入力された「機能調節情報」に基づき、第１処理ユニットによりこの情報端末に付与されるとともに、第２処理ユニットによりこの情報端末に表示される生産情報の内容及び生産情報の表示パターンとのうち一方又は両方の基礎となる「情報処理機能」を設定する。
【０００８】
従って、このユーザにより情報端末に入力された「機能調節情報」に、このユーザを取り巻く「諸事情」が反映されることにより、この情報端末に付与される「情報処理機能」、ひいてはこの情報端末を通じてユーザに提供され得る生産情報の内容やパターンが、当該諸事情に鑑みて適当に設定され得る。
【０００９】
なお、本発明の構成要素が情報を「認識する」とは、当該構成要素が情報を記憶装置やデータベース（ＤＢ）から読み取ること、当該構成要素がＤＢ等からの読み取り情報に基づき、所定のアルゴリズムやテーブル等に従って当該情報を導出すること、当該構成要素が情報を設定、推定、測定又は検知すること等が含まれる。
【００１０】
また、本発明の生産情報管理システムは、第１処理ユニットが、ユーザの情報端末に付与した情報処理機能に対応するボタンを該情報端末に表示させ、第２処理ユニットが、第１処理ユニットによりユーザの情報端末に表示されたボタンのうち、該情報端末の操作を通じて該ユーザにより指定されたボタンに応じた情報処理機能に従って、生産情報を該情報端末に表示させ、調節処理ユニットが、前記機能調節情報に基づき、第１処理ユニットにより該情報端末に表示されるボタンのレイアウトを設定することを特徴とする。
【００１１】
本発明の生産情報管理システムによれば、ユーザにより情報端末に入力された「機能調節情報」に、このユーザを取り巻く「諸事情」が反映されることにより、この情報端末に表示されるボタンのレイアウトが適当に設定され得る。従って、当該諸事情に鑑みて、情報端末を通じてユーザに提供され得る生産情報の内容やパターンが適当に設定され得る。
【００１２】
さらに、本発明の生産情報管理システムは、調節処理ユニットが前記機能調節情報に基づき、情報処理機能の優先順位及び種類のうち一方又は両方を認識した上で、該優先順位及び種類のうち一方又は両方に従って第１処理ユニットにより該情報端末に表示されるボタンのレイアウトを設定することを特徴とする。
【００１３】
本発明の生産情報管理システムによれば、ユーザによる情報端末への「機能調節情報」に基づく情報処理機能の「優先順位」及び「種類」のうち一方又は両方に従って、当該情報処理機能に応じたボタンのレイアウトが設定される。例えば、情報処理機能の「優先順位」に従って、下方向や右方向等にボタンが順に並べられた場合、一定方向にボタンが順次指定されることで、ユーザの諸事情に鑑みて優先順位の高い情報処理機能による生産情報の情報処理が逐次実行される。また、情報処理機能の「種類」に従って、当該種類に対応する表示エリアに、当該情報処理機能に応じたボタンが配置された場合、一定エリアに配置されているボタンが指定されることで、同一種類の情報処理機能による生産情報の情報処理が実行される。
【００１４】
従って、ユーザにより情報端末に入力された「機能調節情報」に、このユーザを取り巻く「諸事情」が反映されることにより、情報端末に表示されるボタンのレイアウトを、当該諸事情に鑑みて適当なものとすることができる。
【００１５】
また、本発明の生産情報管理システムは、調節処理ユニットが、経済、産業、社会及び環境のうち一部又は全部を含むカテゴリに関する情報を、前記機能調節情報として認識することを特徴とする。
【００１６】
本発明の生産情報管理システムによれば、情報端末を通じてユーザに提供され得る生産情報の内容やパターンが、このユーザを取り巻く諸事情、具体的には「経済」「産業」「社会」及び「環境」等のカテゴリに関する情報に鑑みて適当に設定され得る。
【００１７】
さらに、本発明の生産情報管理システムは、調節処理ユニットが、前記機能調節情報に基づき「年」「月」及び「日」の並び順を認識した上で、製品の生産管理に係る年月日を該並び順に従って情報端末に表示させる情報処理機能を、第１処理ユニットにより該情報端末に付与されるとともに、第２処理ユニットにより該情報端末に表示される生産情報の内容及び生産情報の表示パターンとのうち一方又は両方の基礎となる情報処理機能に含ませることを特徴とする。
【００１８】
本発明の生産情報管理システムによれば、年月日の表記における慣習等の諸事情に応じた適当な並び順で「製品の生産管理に係る年月日」が情報端末に表示され得る。これにより、ユーザは情報端末を通じて当該年月日を正確に把握することができる。なお「製品の生産管理に係る年月日」には、「２０ｘｘ年ｙ月ｚ日に製品ｐ１，ｐ２，・・の生産数量がｑ１，ｑ２，・・である」等、製品ごとの毎日の生産計画や生産実績を把握するために用いられる年月日等が含まれる。
【００１９】
また、本発明の生産情報管理システムは、調節処理ユニットが、前記機能調節情報に基づき時間帯を認識した上で、該時間帯における製品の生産実績を情報端末に表示させる情報処理機能を、第１処理ユニットにより該情報端末に付与されるとともに、第２処理ユニットにより該情報端末に表示される生産情報の内容及び生産情報の表示パターンとのうち一方又は両方の基礎となる情報処理機能に含ませることを特徴とする。
【００２０】
本発明の生産情報管理システムによれば、ユーザの生産管理に関するポリシー等の諸事情に鑑みて適当な時間帯における各製品の生産実績を、情報端末を通じてこのユーザに把握させることができる。
【００２１】
前記課題を解決するための本発明の生産情報管理プログラムは、生産情報に関する情報処理機能をユーザの情報端末に付与する第１処理機能と、第１処理機能によりユーザの情報端末に付与された情報処理機能のうち、該情報端末の操作を通じて該ユーザにより指定された情報処理機能に従って、生産情報を該情報端末に表示させる第２処理機能とをコンピュータに付与する生産情報管理プログラムであって、複数の情報処理機能のうち一部又は全部を特定し得る、ユーザにより情報端末に入力された機能調節情報を認識した上で、該機能調節情報に基づき、第１処理機能により該情報端末に付与されるとともに、第２処理機能により該情報端末に表示される生産情報の内容及び生産情報の表示パターンとのうち一方又は両方の基礎となる情報処理機能を設定する調節処理機能をさらに前記コンピュータに付与することを特徴とする。
【００２２】
本発明の生産情報管理プログラムによれば、ユーザにより情報端末に入力される「機能調節情報」にこのユーザを取り巻く「諸事情」が反映されることにより、情報端末を通じてユーザに提供され得る生産情報の「内容」や「パターン」が当該諸事情に鑑みて適当に設定され得るように、生産情報を管理する機能がコンピュータに付与され得る。
【発明を実施するための最良の形態】
【００２３】
本発明の生産情報管理システム及び生産情報管理プログラムの実施形態について図面を用いて説明する。
【００２４】
図１は本発明の一実施形態としての生産情報管理システムの構成説明図であり、図２は本発明の一実施形態としての生産情報管理システムの機能説明図であり、図３は情報端末に表示されるボタンの例示図であり、図４は情報端末に表示される生産情報の例示図である。
【００２５】
図１に示されている生産情報管理システムは、ハードウェアとしてのホスト・コンピュータ１００と、後述する「第１処理機能」「第２処理機能」及び「調節処理機能」をこのホスト・コンピュータ１００に付与するソフトウェアとしての本願発明の「生産情報管理プログラム」により構成されている。ホスト・コンピュータ１００は、生産業者等のユーザにより操作される情報端末２００との、インターネット等のネットワークを介した通信機能を有している。
【００２６】
生産情報管理システムは、生産情報ＤＢ１０２と、第１処理ユニット１１１と、第２処理ユニット１１２と、第１処理ユニット１２１と、第２処理ユニット１２２とを備えている。各ユニットは、ＣＰＵ、ＲＯＭ、ＲＡＭ、その他電子回路等により構成されている。
【００２７】
生産情報ＤＢ１０２は、各製品の生産状況に関する「生産情報」を管理する。生産情報ＤＢ１０２は、各製品の受注状況に関する情報を管理する受注状況ＤＢ１０２ａ、各製品の生産計画に関する情報を管理する生産計画ＤＢ１０２ｂ、各製品の生産実績に関する情報を管理する生産実績ＤＢ１０２ｃ等から構成されている。「生産情報」には、各製品の受注状況等のほか、各製品の生産コスト、各製品の生産に要する多数の部品のそれぞれの在庫状況等に関する情報が含まれ得る。
【００２８】
第１処理ユニット１１１は、情報端末２００との通信に基づき、生産情報に関する「情報処理機能」をユーザの情報端末２００に付与する。また、第１処理ユニット１１１は、情報端末２００との通信に基づき、例えば図３（ａ）に示されているように当該複数の「情報処理機能」のそれぞれに対応する複数のボタンｘｉ（ｉ＝１〜１１）をこの情報端末２００に表示させる。
【００２９】
第２処理ユニット１１２は、第１処理ユニット１１１によりユーザの情報端末２００に付与された複数の情報処理機能のうち、情報端末２００の操作を通じてユーザにより指定されたボタンに対応する情報処理機能に従って、生産情報を生産情報ＤＢ１０２から読み取り、又は生産情報ＤＢ１０２からの読み取り情報に基づいて導出した上で情報端末２００に表示させる。
【００３０】
調節処理ユニット１２０は、ユーザにより情報端末２００に入力され、複数の情報処理機能のうち一部又は全部を特定し得る「機能調節情報」を認識する。具体的には、調節処理ユニット１２０は、ユーザにより情報端末２００に入力された「経済」「産業」「各国情勢」「国際関係」「政治」「社会」及び「環境」等の複数のカテゴリのうち一部又は全部のカテゴリに関する情報を「機能調節情報」として認識する。
【００３１】
また、調節処理ユニット１２０は、ユーザにより情報端末２００に入力された「機能調節情報」に基づき、第１処理ユニット１１１により情報端末２００に付与されるとともに、第２処理ユニット１１２により情報端末２００に表示される生産情報の「内容」及び「表示パターン」の基礎となる「情報処理機能」を設定する。
【００３２】
さらに、調節処理ユニット１２０は、当該機能調節情報に基づき情報処理機能の「優先順位」及び「種類」を認識した上で、これら優先順位及び種類に従って第１処理ユニット１１１により情報端末２００に表示されるボタンの「レイアウト」を設定する。
【００３３】
情報端末２００は、通信機能及び情報表示機能を有するパソコン、携帯電話機等により構成されている。
【００３４】
前記構成の生産情報管理システムの機能について、図２〜図４を用いて説明する。
【００３５】
まず、調節処理ユニット１２０が、ユーザにより情報端末２００に入力された「経済」「産業」「社会」及び「環境」等の複数のカテゴリのうち一部又は全部のカテゴリに関する情報を「機能調節情報」として認識する（図２／Ｓ１）。「経済」に関する情報には、生産業者の資本力、財政状況、製品の生産コスト、通貨等に関する情報が含まれ得る。「産業」に関する情報には、生産業者が有する知的財産権（デザイン、トレードマーク等）、製品の生産能力、生産業者の国や地域の貿易事情等に関する情報が含まれ得る。「社会」に関する情報には製品に関連するその国の法制度、その国や地域の人口、男女の比率、年齢構成等に関する情報が含まれ得る。「環境」に関する情報には、生産工場が属する国や地域、交通事情、従業員の雇用状況、製品のシェア等に関する情報が含まれ得る。
【００３６】
また、第１処理ユニット１１１が「第１処理」を実行する（図２／Ｓ２）。具体的には、第１処理ユニット１１１が、情報端末２００との通信に基づき、情報端末２００に生産情報に関する「情報処理機能」を付与する。このとき、調節処理ユニット１２０が「機能調節情報」に基づき、第１処理ユニット１１１により情報端末２００に付与される情報処理機能を設定する。
【００３７】
また、第１処理ユニット１１１が、調節処理ユニット１２０により認識された「機能調節情報」に基づき、当該情報処理機能の「優先順位」及び「種類」を認識する。そして、情報端末２００に付与された（又はされる）情報処理機能に対応するボタンを、情報端末２００に表示させる。
【００３８】
これにより、例えば図３（ａ）に示されているように、情報端末２００に付与された１１個の情報処理機能に対応する１１個のボタンｘ１〜ｘ１１が情報端末２００に表示される。これらの情報処理機能のうち、種類の異なる２つのグループに属する情報処理機能に対応するボタンｘ１〜ｘ９と、ボタンｘ１０及びｘ１１とがそれぞれ左側、右側に区分されて配置されるようにレイアウトされている。また、ボタンｘ１〜ｘ９と、ボタンｘ１０及びｘ１１とが、対応する情報処理機能の優先順位が高いほど上に配置されるようにレイアウトされている。すなわち、このレイアウトは、例えばボタンｘ２に対応する情報処理機能が、ボタンｘ１，ｘ３〜ｘ９に対応する情報処理機能と種類（グループ）が同一であり、ボタンｘ１に対応する情報処理機能よりも優先順位が低いことを表している。
【００３９】
また、図３（ｂ）に示されているように、情報端末２００に付与された７個の情報処理機能に対応する７個のボタンｙ１〜ｙ７が情報端末２００に表示される。これらの情報処理機能のうち、種類の異なる２つのグループに属する情報処理機能に対応するボタンｙ１〜ｙ５と、ボタンｙ６及びｙ７がそれぞれ上側、下側に区分されて配置されるようにレイアウトされている。また、ボタンｙ１〜ｙ５と、ボタンｙ６及びｙ７とが、対応する情報処理機能の優先順位が高いほど上に配置されるようにレイアウトされている。すなわち、このレイアウトは、例えばボタンｙ３に対応する情報処理機能が、ボタンｙ６及びｙ７に対応する情報処理機能と種類（グループ）が異なり、ボタンｙ５に対応する情報処理機能よりも優先順位が高いことを表している。
【００４０】
さらに、図３（ｃ）に示されているように、情報端末２００に付与された１１個の情報処理機能に対応する１９個のボタンｚ１〜ｚ１９が情報端末２００に表示される。これらの情報処理機能のうち、種類の異なる３つのグループに属する情報処理機能に対応するボタンｚ１〜ｚ１０と、ボタンｚ１１〜ｚ１３と、ボタンｚ１４〜ｚ１９とがそれぞれ左上側、左下側、右側に配置されるようにレイアウトされている。また、ボタンｚ１〜ｚ１０と、ボタンｚ１１〜ｚ１３と、ボタンｚ１４〜ｚ１９とが、対応する情報処理機能の優先順位が高いほど上に配置されるようにレイアウトされている。すなわち、このレイアウトは、例えばボタンｚ１２に対応する情報処理機能が、ボタンｚ２やボタンｚ１５に対応する情報処理機能と種類（グループ）が異なり、ボタンｚ１３に対応する情報処理機能と優先順位が同じであることを表している。
【００４１】
さらに、第２処理ユニット１１２が「第２処理」を実行する（図２／Ｓ３）。具体的には、情報端末２００に表示されているボタンがマウス装置（図示略）によりクリックされたとき、第２処理ユニット１１２が、クリックされたボタンに対応する情報処理機能に従って生産情報の「内容」及び「表示パターン」を認識する。この上で、第２処理ユニット１１２が、この生産情報の内容がその表示パターンに従って掲載された一覧表（テーブル）を情報端末２００に表示させる。
【００４２】
前記機能を発揮する生産情報管理システムによれば、ユーザにより情報端末２００に入力された「機能調節情報」に、このユーザを取り巻く「諸事情」、具体的には「経済」「産業」「社会」及び「環境」等のカテゴリに関する情報が反映され得る。これにより、情報端末２００に付与される「情報処理機能」、ひいては情報端末２００を通じてユーザに提供され得る生産情報の内容やパターンが、当該諸事情に鑑みて適当に設定され得る。
【００４３】
また、情報端末２００に表示されるボタンのレイアウトが、ユーザを取り巻く「諸事情」に鑑みて適当に設定され得る。これにより、例えば図３（ａ）に示されているボタンｘ１〜ｘ９が順次クリック（指定）されることで、ユーザの諸事情に鑑みて優先順位の高い情報処理機能による生産情報の情報処理が逐次実行される。また、図３（ｃ）に示されているように左下側に他のボタンから区分されて配置されたボタンｚ１１〜ｚ１３が指定されることで、この区分に対応する種類の情報処理機能による生産情報の情報処理が実行される。
【００４４】
また、例えば、図３（ａ）に示されているボタンｘ４に対応する情報処理機能が「毎日の生産実績を表示する（生産情報の内容）」及び「左から「日」「月」「年」の順に並べて年月日を表示する（表示パターン）」というものである場合、ボタンｘ４のクリックに応じて「毎日の生産実績」と、左から「日」「月」「年」の順に並べられた生産実績に係る「年月日」とが含まれる生産情報が情報端末２００に表示される。これにより、年月日が左から「日」「月」「年」の並び順で表記される慣習がある地域に属するユーザに、生産実績に係る年月日を正確に把握させることができる。
【００４５】
さらに、図３（ｂ）に示されているボタンｙ２に対応する情報処理機能が「毎日７：００〜１７：００の時間帯の生産計画を表示する（生産情報の内容及び時間帯）」及び「左から「月」「日」「年」の順に並べて年月日を表示する（表示パターン）」というものである場合、ボタンｙ２のクリックに応じて「毎日７：００〜１７：００の生産計画」と、左から「月」「日」「年」の順に並べられた生産計画に係る「年月日」とが含まれる生産情報が情報端末２００に表示される。これにより、年月日が左から「月」「日」「年」の並び順で表記される慣習がある地域に属するユーザに、生産計画に係る年月日を正確に把握させることができる。また、生産管理上の諸事情により１日のうち特に７：００〜１７：００の時間帯の生産計画の管理を希望するユーザにとって、有用性の高い生産情報が当該ユーザに対して提供され得る。
【００４６】
なお、前記実施形態では「第１処理機能」「第２処理機能」及び「調節処理機能」がホスト・コンピュータ１００に付与されていたが、他の実施形態として「第１処理機能」「第２処理機能」及び「調節処理機能」のうち一部又は全部が情報端末２００に付与されてもよい。当該他の実施形態によれば、情報端末２００が必要に応じてホスト・コンピュータ１００の生産情報ＤＢ１０２からネットワークを介して必要な生産情報を取得する等、ホスト・コンピュータ１００と情報端末２００とのネットワークを介した通信に基づき、情報端末２００に付与される「情報処理機能」、ひいては情報端末２００を通じてユーザに提供され得る生産情報の内容やパターンが、ユーザを取り巻く諸事情に鑑みて適当に設定され得る。
【００４７】
また、前記実施形態では「経済」等のカテゴリに関する情報（ユーザを取り巻く諸事情）が「機能調節情報」として調節処理ユニット１２０により認識されたが、他の実施形態として情報端末２００の操作を通じてユーザにより直接指定された情報処理機能を特定する情報が「機能調節情報」として調節処理ユニット１２０により認識されてもよい。
【図面の簡単な説明】
【００４８】
【図１】本発明の一実施形態としての生産情報管理システムの構成説明図
【図２】本発明の一実施形態としての生産情報管理システムの機能説明図
【図３】情報端末に表示されるボタンの例示図
【図４】情報端末に表示される生産情報の例示図
【符号の説明】
【００４９】
１００‥ホスト・コンピュータ（生産情報管理システム）、１０２‥生産情報ＤＢ、１１１‥第１処理ユニット、１１２‥第２処理ユニット、１２０‥調節処理ユニット、２００‥情報端末
【図１】
2006277571.tif 000003
【図２】
2006277571.tif 000004
【図３】
2006277571.tif 000005
【図４】
2006277571.tif 000006